(57)【要約】【課題】乾燥運転の時間を短縮することができ、ランニングコストを下げることができる浴室換気乾燥機を提供することを目的とする。【解決手段】送風機１０１の吹き出し空気１０２を熱交換器４を介して吹出口１１３に連通する浴室側の風路１０３および換気口１０９に連通する換気風路１０４に分配するダンパー１０５と、このダンパー１０５を駆動するダンパーモーター１０６および送風機１０１を制御する制御部１を備え、浴室側の風路１０３と換気風路１０４の両方に同時に送風できるように制御することにより、効果的に乾燥を行うことができる。【選択図】図１
2004163093.tif 000002
【特許請求の範囲】
【請求項１】
下面を開口し、側部に換気口を形成した換気乾燥機の本体と、この本体の下面を覆う形状で吸込口および吹出口を形成した化粧パネルと、前記本体の内部に前記吸込口と連通し設けられる送風機と、この送風機の吹き出し空気を熱交換器を介して前記吹出口に連通する浴室側の風路および前記換気口に連通する換気風路に分配するダンパーと、このダンパーを駆動するダンパーモーターと、このダンパーモーターおよび前記送風機を制御する制御部とを備え、換気運転時、前記ダンパーモーターが駆動され、前記ダンパーは前記浴室側の風路を閉止する位置へ切り換わり、暖房運転時に、前記ダンパーモーターが駆動され、前記ダンパーは前記換気風路を閉止する位置に切り換わる浴室換気乾燥機において、前記ダンパーは一端が回動支点となるように取り付けられ、乾燥運転時、前記ダンパーモーターが駆動され、前記ダンパーを前記浴室側の風路と前記換気風路の両方に同時に送風できるように制御する構成とした浴室換気乾燥機。
【請求項２】
化粧パネルの吸込口近傍に制御部に接続された室温検知センサーを設け、乾燥運転時、前記室温検知センサーで検知された室温が設定値以下の間は換気口側の風路を閉止し、室温検知センサーで検知された湿度が設定値以上になると換気口側に吹き出し空気の一部が流れ室温が設定温度になるようダンパーの開度を制御する構成とした請求項１記載の浴室換気乾燥機。換気ファンを回転させるための換気用モーターと、循環ファンを回転させるための循環用モーターと、電気ヒーターまたは熱交換器の加熱手段と、この加熱手段の温度またはその周囲の温度を検知するセンサとを備え、前記センサの検出温度により、前記換気用モーターを運転し浴室内の空気を排出する換気運転開始と同時に前記循環用モーターを起動し継続運転する時間を制御することを特徴とする浴室暖房乾燥機。
【発明の詳細な説明】
【技術分野】
【０００１】
本発明は、浴室の天井裏に設けられ、浴室を利用して洗濯物を乾燥するとともに、浴室の換気および暖房を行う浴室換気乾燥機に関する。
【背景技術】
【０００２】
近年、夫婦共働きの増加に伴い、洗濯物を室内にて乾かしたいという要望が多くなり、浴室を洗濯物の乾燥の場所として利用する浴室換気乾燥機が普及している。
【０００３】
従来この種の浴室換気乾燥機は、換気用と循環用の二つの送風機を使用して乾燥運転を行うタイプと、一つの送風機で乾燥運転を行うタイプ（例えば、特許文献１および２参照
）があった。また、室温検知センサーを設けて換気風量を自動的に制御するタイプもあった（例えば、特許文献３参照）。
【０００４】
以下、一つの送風機で乾燥運転を行う浴室換気乾燥機の一般的な構成について、図６および図７を参照しながら説明する。
【０００５】
図に示すように、下面を開口し内部に送風機１０１と、前記送風機１０１の吹き出し空気１０２を浴室側の風路１０３と、換気風路１０４に切り換えるダンパー１０５と、このダンパー１０５を駆動するダンパーモーター１０６を設け、浴室側の風路１０３にはヒーター１０７を設け、屋外と連通するダクト１０８の接続される換気口１０９を側部に形成した換気乾燥機の本体１１０を浴室１１１の天井裏に設けていた。
【０００６】
そして、前記本体１１０の下面開口を覆う形状で、吸込口１１２および吹出口１１１３を形成した化粧パネル１１４を本体１１０の下面に取り付けていた。
【０００７】
上記構成において、換気運転の場合、ダンパー１０５は浴室側の風路１０３を閉止する位置へ切り換わり、送風機１０１により本体１１０の下面に設けられた化粧パネル１１４の吸込口１１２より浴室１１１の空気が本体１１０に吸い込まれ、換気風路１０４、換気口１０９、ダクト１０８を介して屋外に排出される。
【０００８】
また、暖房運転の場合、ダンパー１０５は換気風路１０４を閉止する位置に切り換わり、送風機１０１により本体１１０の下面に設けられた化粧パネル１１４の吸込口１１２より浴室１１１の空気が本体１１０に吸い込まれ、ヒーター１０７により温められた温風１１５を吹出口１１３より吹き出し、浴室１１１内の暖房を行う。
【０００９】
また、乾燥運転の場合、暖房運転と換気運転を交互に行うことにより洗濯物の乾燥を行う。すなわち、暖房運転による前記温風１１５を浴室１１１内に吊り下げられた洗濯物１１６に当て、洗濯物１１６を乾燥していた。そして、前記洗濯物１１６より除去された水分により浴室１１１内の空気の絶対湿度が上昇し、洗濯物１１６の乾燥ができなくなるため、一定時間後換気運転に切り換え、送風機１０１により浴室内の湿った空気を屋外に排出した後、再度暖房運転に切り換える。この暖房運転と換気運転の繰り返しにより、洗濯物１１６の乾燥を行っていた。
【特許文献１】実開平０２−０２４２２３号公報
【特許文献２】特開昭５８−１３０９２７号公報
【特許文献３】特開平０４−２８５５９７号公報
【発明の開示】
【発明が解決しようとする課題】
【００１０】
このような従来の浴室暖房乾燥機では、暖房運転と換気運転の繰り返しによる乾燥運転であるため、乾燥運転時、洗濯物１１６の量、浴室１１１の外気温湿度等種々の負荷条件により、暖房運転と換気運転の時間の割合を変える必要があるという課題があった。
【００１１】
本発明は、上記従来の課題を解決するもので、乾燥運転時、暖房と換気を同時に行うことで、乾燥時間の短い浴室換気乾燥機を提供することを目的とする。
【００１２】
また、乾燥運転時、負荷に応じた適正換気量の調節を行い、乾燥時間を短くすることを目的とする。
【課題を解決するための手段】
【００１３】
本発明の浴室換気乾燥機は上記目的を達成するために、下面を開口し、側部に換気口を形成した換気乾燥機の本体と、この本体の下面を覆う形状で吸込口および吹出口を形成した化粧パネルと、前記本体の内部に前記吸込口と連通し設けられる送風機と、この送風機の吹き出し空気を熱交換器を介して前記吹出口に連通する浴室側の風路および前記換気口に連通する換気風路に分配するダンパーと、このダンパーを駆動するダンパーモーターと、このダンパーモーターおよび前記送風機を制御する制御部とを備え、換気運転時、前記ダンパーモーターが駆動され、前記ダンパーは前記浴室側の風路を閉止する位置へ切り換わり、暖房運転時に、前記ダンパーモーターが駆動され、前記ダンパーは前記換気風路を閉止する位置に切り換わる浴室換気乾燥機において、前記ダンパーは一端が回動支点となるように取り付けられ、乾燥運転時、前記ダンパーモーターが駆動され、前記ダンパーを前記浴室側の風路と前記換気風路の両方に同時に送風できるように制御する構成としたものである。
【００１４】
この手段により、乾燥運転時、ダンパーを制御し暖房運転と乾燥運転を同時に行うことによって、乾燥運転の効率を上げることができる浴室換気乾燥機が得られる。
【００１５】
また、本発明の浴室換気乾燥機は上記目的を達成するために、化粧パネルの吸込口近傍に制御部に接続された室温検知センサーを設け、乾燥運転時、前記室温検知センサーで検知された室温が設定値以下の間は換気口側の風路を閉止し、室温検知センサーで検知された湿度が設定値以上になると換気口側に吹き出し空気の一部が流れ室温が設定温度になるようダンパーの開度を制御する構成としたものである。
【００１６】
この手段により、乾燥運転時、室温検知センサーの信号により室温が一定となるようにダンパーを調節し、乾燥に最適となる換気風量で運転することによって、乾燥時間を短縮することができる浴室換気乾燥機が得られる。。
【発明の効果】
【００１７】
本発明によれば、乾燥運転時、ダンパーの制御により暖房運転と換気運転を同時に行うことができるので、従来の暖房運転と換気運転の繰り返しによる乾燥運転に対し、乾燥運転の効率を上げる浴室換気乾燥機を提供できる。
【００１８】
また、室温検知センサーの信号により、室温が一定となるようにダンパーの開度を調節するため、負荷にかかわらず乾燥に最適となる換気風量で運転することとなるので、乾燥時間を短縮してランニングコストを下げる浴室換気乾燥機を提供できる。
【発明を実施するための最良の形態】
【００１９】
本発明の請求項１記載の発明は、下面を開口し、側部に換気口を形成した換気乾燥機の本体と、この本体の下面を覆う形状で吸込口および吹出口を形成した化粧パネルと、前記本体の内部に前記吸込口と連通し設けられる送風機と、この送風機の吹き出し空気を熱交換器を介して前記吹出口に連通する浴室側の風路および前記換気口に連通する換気風路に分配するダンパーと、このダンパーを駆動するダンパーモーターと、このダンパーモーターおよび前記送風機を制御する制御部とを備え、換気運転時、前記ダンパーモーターが駆動され、前記ダンパーは前記浴室側の風路を閉止する位置へ切り換わり、暖房運転時に、前記ダンパーモーターが駆動され、前記ダンパーは前記換気風路を閉止する位置に切り換わる浴室換気乾燥機において、前記ダンパーは一端が回動支点となるように取り付けられ、乾燥運転時、前記ダンパーモーターが駆動され、前記ダンパーを前記浴室側の風路と前記換気風路の両方に同時に送風できるように制御する構成とした浴室換気乾燥機であり、送風機の吹き出し空気はダンパーの制御により熱交換器側と換気口側に分配され、乾燥運転時、熱交換器の作用により浴室内に吹き出される温風で洗濯物の乾燥を行い、洗濯物からの水分の蒸発により、絶対湿度が上昇した浴室内の空気の一部を換気口より排出することにより、効果的に乾燥が行われるという作用を有する。
【００２０】
また、本発明の請求項２記載の発明は、化粧パネルの吸込口近傍に制御部に接続された室温検知センサーを設け、乾燥運転時、前記室温検知センサーで検知された室温が設定値以下の間は換気口側の風路を閉止し、室温検知センサーで検知された湿度が設定値以上になると換気口側に吹き出し空気の一部が流れ室温が設定温度になるようダンパーの開度を制御する構成とした浴室換気乾燥機であり、乾燥運転時、浴室内温度が設定温度になるようダンパーの開度を制御することにより、負荷にかかわらず乾燥に最適となる換気量で乾燥運転を行うという作用を有する。
【００２１】
以下、本発明の実施の形態について図面を参照しながら説明する。
【００２２】
（実施の形態１）
なお、従来例と同一構成要素には同一符号を付けて詳細な説明は省略する。
【００２３】
図１〜図３に示すように、本体１１０Ａ内に制御部１を設け、この制御部１と送風機１０１をリード線２で接続し、ダンパーモーター１０６をリード線３で接続する。
【００２４】
また、浴室側の風路１０３には温水コイルよりなる熱交換器４が設けられている。
【００２５】
上記構成により、換気運転時、制御部１の働きによりダンパーモーター１０６が駆動され、ダンパー１０５は図３（ａ）の位置、すなわち浴室側の風路１０３を閉止する位置へ切り換わり、送風機１０１により本体１１０Ａの下面に設けられた化粧パネル１１４の吸込口１１２より浴室１１１の空気が本体１１０Ａに吸い込まれ、換気風路１０４、換気口１０９、ダクト１０８を介して屋外に排出される。
【００２６】
また、暖房運転時には、制御部１の働きによりダンパーモーター１０６が駆動され、ダンパー１０５は図３（b）に示すように換気風路１０４を閉止する位置に切り換わり、送風機１０１により本体１１０Ａの下面に設けられた化粧パネル１１４の吸込口１１２より浴室１１１の空気が本体１１０Ａに吸い込まれ、熱交換器４により温められた温風１１５を吹出口１１３より吹き出し、浴室１１１内の暖房を行う。
【００２７】
また、乾燥運転時、制御部１の働きによりダンパーモーター１０６が駆動され、ダンパー１０５は図３（ｃ）に示すように浴室側の風路１０３および換気風路１０４に送風機１０１の吹き出し空気１０２が分配される位置に切り換わり、送風機１０１により本体１１０の下面に設けられた化粧パネル１１４の吸込口１１２より浴室１１１の空気が本体１１０Ａに吸い込まれ、一部は浴室側の風路１０３を通り、熱交換器４により温められた温風１１５を吹出口１１３より吹き出し、浴室１１１内に吊り下げられた洗濯物１１６を乾燥する。この洗濯物１１６より除去された水分により浴室１１１内の絶対温度が上昇し、乾燥の効率が低下するのを防ぐため、浴室１１１内より吸い込まれた空気の一部を換気風路１０４、換気口１０９より屋外に排出し乾燥運転を継続する。
【００２８】
このように本発明の実施の形態１の浴室換気乾燥機によれば、乾燥運転時、暖房と換気を同時に行うことができる。
【００２９】
（実施の形態２）
次に、実施の形態２を説明する。
【００３０】
なお、実施の形態１と同一構成要素には同一符号を付けて、その説明は省略する。
【００３１】
図４および図５に示すように、化粧パネル１１４の吸込口１１２の近傍に制御部１に接続された室温検知センサー５を設ける。
【００３２】
上記構成において、乾燥運転時、前記室温検知センサー５の信号により制御部１は、浴室内の温度が設定温度になるようにダンパーモーター１０６を駆動しダンパー１０５の位置を制御する。すなわち、送風機１０１により本体１１０Ｂの下面に設けられた化粧パネル１１４の吸込口１１２より浴室の空気が本体１１０Ｂに吸い込まれ、浴室側の風路１０３を通り熱交換器４により温められた温風１１５を吹出口１１３より吹き出し、浴室内に吊り下げられた洗濯物（図示せず）を乾燥する。この時、浴室内の温度が上昇するとともに、洗濯物より除去された水分により絶対湿度が上昇し、浴室内の温度が設定温度に近づくとダンパー１０５の開度を調節し乾燥運転を継続する。
【００３３】
このように本発明の実施の形態２の浴室換気乾燥機によれば、乾燥運転時、負荷に応じた適正換気量の調節を行うことができる。
【産業上の利用可能性】
【００３４】
以上のように、本発明にかかる浴室換気乾燥機は、ダンパーの制御により乾燥効率を上げることができ、浴室を利用して洗濯物を乾燥するのに有用である。
【図面の簡単な説明】
【００３５】
【図１】本発明の実施の形態１における浴室換気乾燥機の構成を示す断面図
【図２】同浴室換気乾燥機の設置状態を示す斜視図
【図３】（ａ）同浴室換気乾燥機のダンパーの浴室側の風路閉止を示す断面図（ｂ）同浴室換気乾燥機のダンパーの換気風路閉止を示す断面図（ｃ）同浴室換気乾燥機のダンパーの浴室側の風路および換気風路へ空気分配する位置を示す断面図
【図４】本発明の実施の形態２における浴室換気乾燥機の構成を示す断面図
【図５】同浴室換気乾燥機のダンパー動作図
【図６】従来の浴室換気乾燥機の断面図
【図７】同浴室換気乾燥機の設置状態を示す斜視図
【符号の説明】
【００３６】
１        制御部
４        熱交換器
５        室温検知センサー
１０１    送風機
１０２    吹き出し空気
１０３    浴室側の風路
１０４    換気風路
１０５    ダンパー
１０６    ダンパーモーター
１０９    換気口
１１０    本体  
１１０Ａ  本体
１１０Ｂ  本体
１１２    吸込口
１１３    吹出口
１１４    化粧パネル
【図１】
2004163093.tif 000003
【図２】
2004163093.tif 000004
【図３】
2004163093.tif 000005
【図４】
2004163093.tif 000006
【図５】
2004163093.tif 000007
【図６】
2004163093.tif 000008
【図７】
2004163093.tif 000009